(57)【要約】      （修正有）【課題】  フィット感の向上と軸方向への滑り防止を図りながら疲れ難くする。【解決手段】軸筒１の略全長に被覆されるグリップ２の軸方向略中央の外周面１ａに、隆起部２ａを全周に亘って形成し、この隆起部２ａから軸方向へ滑らかに連続する傾斜曲面部２ｂを形成することにより、グリップ２を握る際に、手指の親指Ｆ１から人差し指Ｆ２へ至る略Ｕ字型の指間皮膚表面Ｆ４が、隆起部２ａ及び傾斜曲面部２ｂの表面形状と嵌り合い、夫々が全体的に隙間なく接触可能となって、これら手指の皮膚表面とグリップ２表面との接触面積が増大し、軸筒全体の振れが大幅に減少して手指とグリップが一体化されると共に、把持力がグリップ２に伝わると、親指Ｆ１と人差し指Ｆ２と中指Ｆ４の指先部分だけでなく、隆起部２ａ及び傾斜曲面部２ｂの表面部分が手指の形状に合わせて適度に弾性変形して、把持力が均一に分散する。【選択図】図１
2008068522.tif 000002
【特許請求の範囲】
【請求項１】
軸筒の略全長に亘って弾性変形可能な筒状のグリップを具備した筆記具において、
前記軸筒の略全長に被覆されるグリップの軸方向略中央の外周面に、隆起部を全周に亘って形成し、この隆起部から軸方向へ滑らかに連続する傾斜曲面部を形成したことを特徴とする筆記具。
【請求項２】
上記グリップの少なくとも表面部分を弾性変形可能な発泡体で成形したことを特徴とする請求項１記載の筆記具。
【請求項３】
上記軸筒の外周面にズレ止め用突起を設けて、グリップの内周面と軸方向及び周方向へ移動不能に係合させたことを特徴とする請求項１又は２記載の筆記具。
【請求項４】
上記ズレ止め用突起を、軸筒の軸方向へ複数配置し、これらズレ止め用突起の間に適宜隙間を形成したことを特徴とする請求項３記載の筆記具。
【請求項５】
上記グリップの後端部に係止バンドを巻き付けることで、該グリップ後端部を圧縮変形して、軸筒に対し軸方向及び周方向へ移動不能に係止したことを特徴とする請求項１乃至４の何れか１項記載の筆記具。
【発明の詳細な説明】
【技術分野】
【０００１】
本発明は、軸筒の把持部位に滑り止めなどを目的として、弾性変形可能な軟質材料からなるグリップ（弾性把持部材）を具備した、例えばボールペンやシャープペンシルやサインペンなどの筆記具に関する。
詳しくは、軸筒の略全長に亘って筒状のグリップを具備した筆記具に関する。
【背景技術】
【０００２】
従来、この種の筆記具として、軸筒（ペン体）の略全長に亘り、ゴム或いは合成樹脂などの軟質弾性体又はシリコンゴムで筒状に形成されたグリップ（被覆体）を差し込み、このグリップのペン先側の外周面には、軸筒の把持部位に相当する箇所のみに滑り止めのための凹凸を有する握り部が形成され、その先端には先端芯体押えを装着し、後端側には後端芯体押えを装着して、グリップを挟み込むことにより、グリップの位置ズレを防止したものがある（例えば、特許文献１参照）。
【０００３】
しかし乍ら、このような従来の筆記具によれば、軸筒の略全長に被覆されるグリップがその略全長に亘って同じ外径の筒状であるため、グリップを握る際に、手指の親指から人差し指へ至る略Ｕ字型の指間皮膚表面とグリップ表面との間に隙間ができてしまい、親指と人差し指と中指の指先部分がグリップ表面（滑り止め用凹凸を有する握り部）に接触するだけで、筆記時に大きく変動する手指の把持力は指先部分のみに集中することから、手指に対するフィット感に欠け、しかも筆記時に汗などで軸方向へ滑り易く、それにより疲れ易いという問題があった。
更に、筆記時における握り方には個人差があるものの、このような千差万別の握り方の個人差に対応できなかった。
【特許文献１】特開平２−１４１２９５号公報（第１−３頁、第１−３図）
【発明の開示】
【発明が解決しようとする課題】
【０００４】
本発明は、上記従来事情に鑑みてなされたもので、その課題とするところは、フィット感の向上と軸方向への滑り防止を図りながら疲れ難い筆記具を提供することにある。
【課題を解決するための手段】
【０００５】
上記課題を解決するために、第一の発明では、軸筒の略全長に被覆されるグリップの軸方向略中央の外周面に、隆起部を全周に亘って形成し、この隆起部から軸方向へ滑らかに連続する傾斜曲面部を形成したことを特徴とする。
また、第二の発明では、上記第一の発明の構成に加えて、上記グリップの少なくとも表面部分を弾性変形可能な発泡体で成形したことを特徴とする。
また、第三の発明では、上記第一又は第二の発明の構成に加えて、上記軸筒の外周面にズレ止め用突起を設けて、グリップの内周面と軸方向及び周方向へ移動不能に係合させたことを特徴とする。
また、第四の発明では、上記第三発明の構成に加えて、上記ズレ止め用突起を、軸筒の軸方向へ複数配置し、これらズレ止め用突起の間に適宜隙間を形成したことを特徴とする。
また、第五の発明では、上記第一乃至第四の何れか一つの発明の構成に加えて、上記グリップの後端部に係止バンドを巻き付けることで、該グリップ後端部を圧縮変形して、軸筒に対し軸方向及び周方向へ移動不能に係止したことを特徴とする。
【発明の効果】
【０００６】
本発明は、上記構成により下記の作用効果を奏する。
第一の発明によれば、軸筒の略全長に被覆されるグリップの軸方向略中央の外周面に、隆起部を全周に亘って形成し、この隆起部から軸方向へ滑らかに連続する傾斜曲面部を形成することにより、グリップを握る際に、手指の親指から人差し指へ至る略Ｕ字型の指間皮膚表面が、隆起部及び傾斜曲面部の表面形状と嵌り合い、夫々が全体的に隙間なく接触可能となって、これら手指の皮膚表面とグリップ表面との接触面積が増大し、軸筒全体の振れが大幅に減少して手指とグリップが一体化されると共に、把持力がグリップに伝わると、親指と人差し指と中指の指先部分だけでなく、隆起部及び傾斜曲面部の表面部分が手指の形状に合わせて適度に弾性変形して、把持力が均一に分散する。
従って、フィット感の向上と軸方向への滑り防止を図りながら疲れ難い筆記具を提供することができる。
よって、軸筒略全長に被覆したグリップ全体がその略全長に亘って同じ外径の筒状である従来技術と比べ、筆記時に大きく変動する手指の把持力を均一に分散すると共に吸収できるから、手指を動かす筋活動量が減少し、その結果、長時間に亘り筆記した際の疲労の蓄積は少なくなる。
更に、筆記時における握り方に個人差があったとしても、隆起部及び傾斜曲面部の表面形状に沿って握り方を矯正する作用もあるため、千差万別の握り方の個人差に対応できて、握り方の個人差に関係なく全ての使用者に対して疲れ難い筆記具を提供することができる。
【０００７】
第二の発明によれば、グリップの少なくとも表面部分を弾性変形可能な発泡体で成形することにより、グリップを握る際に硬度が柔らかくなって、把持力が適度に分散し吸収されると共に、グリップ全体の軽量化が図れる。
従って、更に疲れ難くすることができる。
よって、更に長時間に亘り筆記時間を更に延ばすことができる。
【０００８】
第三の発明によれば、軸筒の外周面にズレ止め用突起を設けて、グリップの内周面と軸方向及び周方向へ移動不能に係合させることにより、軸筒の外周面に対してグリップが軸方向及び周方向へ移動不能に保持される。
従って、グリップの位置ズレを防止することができる。
よって、筆記具がノック式シャーペンである場合のノック操作時や、ノック式ボールペンである場合のノック時において、グリップが変形しないと共に、組み立て時やメンテナンス時において、先口などを回して着脱する際に、グリップがズレ止め用突起により空回り変形せず、この空回りに伴うグリップの軸方向及び周方向への伸び変形を防止できるから、グリップの耐久性が低下しない。
特に、このズレ止め用突起を、グリップの拡径された隆起部及び傾斜曲面部の下に配置すれば、グリップを握った際にその把持力が隆起部及び傾斜曲面部から他の部分よりも強くズレ止め用突起へ伝わるため、グリップの位置ズレ防止機能を向上できる。
【０００９】
第四の発明によれば、ズレ止め用突起を、軸筒の軸方向へ複数配置し、これらズレ止め用突起の間に適宜隙間を形成することにより、軸筒の外周面に沿ったグリップの挿入に伴って環状突起及び縦突起を乗り越える際に、グリップとの摩擦抵抗が開放されて、その挿入方向先端部が内側にめくれ込み難くなる。
従って、軸筒へのグリップの挿入をスムーズに行うことができる。
よって、組立て作業が容易になって製作時間を短縮化してコストの低減が図れる。
【００１０】
第五の発明によれば、グリップの後端部に係止バンドを巻き付け、該グリップ後端部を圧縮変形して、軸筒に対し軸方向及び周方向へ移動不能に係止することにより、筆圧がグリップに作用しても、係止バンドの保持力でグリップの後端部が軸筒の外周面に沿って前方へ位置ズレしない。
従って、手指の形状に合わせて変形し易い低硬度のグリップであっても筆圧に伴う位置ズレを防止することができる。
よって、グリップの位置ズレによって変形しないため、グリップの耐久性が低下することを防止できる。
【発明を実施するための最良の形態】
【００１１】
本発明の筆記具Ａは、図１〜図４に示す如く、軸筒１と、この軸筒１の軸方向略全長を覆うように挿入される弾性変形可能な筒状のグリップ２と、このグリップ２よりも先端側（前端側）に配置される先口３とを備え、この先口３の末端側（後端側）から軸筒１の後端又は後端近くまでグリップ２が、該軸筒１の略全長を覆うように挿着されたものである。
【００１２】
前記グリップ２は、その全体或いは少なくとも表面部分のみを弾性変形可能な材料で成形した略円筒体か又は断面三角形や多角形などの角筒体であり、その軸方向略中央の外周面には、その他の部分よりも大径な隆起部２ａを全周に亘って形成し、この隆起部２ａから先口３が配置される前方（図面では下方）と、その逆方向の後方（図面では上方）の両側へ向けて滑らかに連続する傾斜曲面部２ｂを夫々形成するか、又は少なくとも前方のみへ向けて滑らかに連続する傾斜曲面部２ｂを形成する。
【００１３】
詳しく説明すれば、グリップ２の軸方向略中央とは、軸筒１の軸方向中央位置よりもやや前方の位置であり、これを中心として隆起部２ａを配置し、図示例ではこの隆起部２ａの前後両方に一対の傾斜曲面部２ｂを配置して、縦断面略台形に拡径している。
【００１４】
更に、前記グリップ２の成形材料としては、例えばゴムやシリコーンゴムやエラストマーなどの低硬度な弾性材料を使用するか、又は合成樹脂からなる弾性変形可能な発泡体などの低硬度な弾性材料を使用して、該グリップ２を握った際にその硬度が柔軟になって、手指の握る力（把持力）を適度に分散・吸収させると共に、グリップ２の軽量化をも図ることで、長時間に亘り使用しても疲れ難くなるようにしている。
【００１５】
前記グリップ２の成形材料として弾性変形可能な発泡体を使用する場合には、軽量で適度な摩擦抵抗が得られるため好ましく、特に例えばエチレン−酢酸ビニル共重合体（ＥＶＡ）やポリエチレンの架橋発泡体、塩化ビニルの発泡体、スチレン系エラストマーの発泡体などの独立気泡構造の発泡体で、表面硬度（Ｃタイプ硬度計、JIS Ｋ 6767）が１５〜３０度、反発弾性（JIS Ｋ 6400）が１５％以下、見かけ密度（JIS Ｋ 6767）が０．０８〜０．１７g/cm3のものを使用すれば、把持力が適度に分散する低反発特性を有しながら耐久性にも優れている。
【００１６】
即ち、表面硬度が１５度以下の場合には、把持力が強いとグリップ２だけで緩衝しきれず軸体１の硬さを感じ、握り安定性が劣ると共に指が動いて伸び変形してしまい、また表面硬度が３０度以上となると握った際のグリップ２の応力が高く、手指の形状に合わせたグリップ２の変形が起こり難く、長時間に亘る筆記に伴って疲労し易くなる。
反発弾性が１５％を越えた場合には、圧縮に対する発泡体の反発力が大きいため、長時間に亘り使用すると疲労が溜まり易くなり、特に子供や老人などの把持力が低い使用者の場合には使い難い。
見かけ密度が０．０８より軽い場合には、発泡体自体の強度も落ちてしまい長期間に亘る使用に伴って把持力による歪み、磨耗が発生して耐えられず、また見かけ密度が０．１７より大きい場合には、グリップ２の重量が大きくなってしまうため、疲労の原因となる。
【００１７】
そして、このような弾性材料で成形されたグリップ２は、前記軸筒１の外周面１ａに対して位置ズレしないように、その内径を軸筒１の外径よりも若干小さくし、軸筒外周面１ａに沿って挿入した状態で、該グリップ２の内周面２ｃを軸筒外周面１ａと密着させて、これら両者間に大きな摩擦抵抗が発生するようにしている。
【００１８】
更に、この軸筒外周面１ａには、前記グリップ２の内周面２ｃと係合するズレ止め用突起を設けて、これをグリップ内周面２ｃに密着させることにより、軸筒外周面１ａに対してグリップ２を軸方向及び周方向へ移動不能に保持する。
特に、このズレ止め用突起は、前記グリップ２の拡径された隆起部２ａ及び傾斜曲面部２ｂの下に配置すれば、グリップ２を握った際にその把持力が隆起部２ａ及び傾斜曲面部２ｂから他の部分よりも強くズレ止め用突起へ伝わるため、グリップ２の位置ズレ防止機能が向上する。
【００１９】
このズレ止め用突起の具体例としては、少なくとも周方向へ延びる環状突起１ｂと、軸方向へ延びる縦突起１ｃとを備え、図示例の場合には、軸方向の中央に縦突起１ｃを配置し、これを挟んで前後に一対の環状突起１ｂを配置している。
【００２０】
これら環状突起１ｂ及び縦突起１ｃは、軸筒１外周面１ａに対するグリップ２の挿入方向へ夫々の外径が徐々に拡径するように傾斜させるか又は円弧状に形成することにより、軸筒外周面１ａに沿ってグリップ２を挿入する際に、該環状突起１ｂ及び縦突起１ｃをスムーズに乗り越えられるようにしている。
【００２１】
また、これら環状突起１ｂ及び縦突起１ｃを軸筒１の軸方向へ複数配置した場合には、夫々が軸方向へ連続して配置されると、軸筒外周面１ａに沿ったグリップ２の挿入に伴って環状突起１ｂ及び縦突起１ｃを乗り越える際に、大きな摩擦抵抗が連続するため、該グリップ２の挿入方向先端部２ｄが内側にめくれて入り込むため、環状突起１ｂと縦突起１ｃとの間に適宜寸法の隙間を夫々形成することにより、グリップ２との摩擦抵抗を開放して、その挿入方向先端部２ｄが内側にめくれ込むことを防止している。
実験によれば、グリップ２の成形材料が上述した独立気泡構造の弾性変形可能な発泡体である場合には、環状突起１ｂと縦突起１ｃとの間に軸方向へ約５ｍｍ以上の隙間があれば、グリップ２の挿入方向先端部２ｄが内側にめくれ込むことなく、スムーズに挿入することができた。
以下、本発明の一実施例を図面に基づいて説明する。
【実施例１】
【００２２】
この実施例１は、図１〜図３に示す如く、上記軸筒１の前端部外周面に先口３を螺合接続し、この先口３と独立気泡構造の弾性変形可能な発泡体からなるグリップ２との間に弾性リング４を挟み込むように配置し、該グリップ２の後端部２ｅに係止バンド５を巻き付けることにより、該グリップ後端部２ｅを圧縮変形して、軸筒１に対し軸方向及び周方向へ移動不能に保持すると共に、この係止バンド５の外側に尾栓６を被せることで、係止バンド５が拡径し外れないようにしたものである。
【００２３】
前記弾性リング４は、グリップ２よりも硬質なゴムや弾性合成樹脂材料から形成され、特に軸筒１の先端側に位置する先口３の近傍を把持する使用者に対し、その把持感触を良好にすると共に、把持する手が筆圧により前方へずれてしまうのを防ぐようにしている。
【００２４】
前記係止バンド５は、例えばポリプロピレンなどの合成樹脂などの材料で、少なくともその一部が弾性変形可能な帯板状に形成され、上記グリップ２の外周面沿いに巻き付けてから環状に係止することにより、グリップ２の外周面を適度に締め付けて圧縮変形させ、その弾発力を利用して該係止バンド５の係止状態が維持されると共に、この係止バンド５の内端部を前記軸筒１に対して軸方向及び周方向へ係止させることにより、これら係止バンド５及びグリップ２が軸筒１に対して軸方向及び周方向へ移動不能に保持される構造にしている。
【００２５】
この係止バンド５を詳しく説明すれば、図３に示す如く、上記グリップ２の外周面に沿って円弧状に湾曲した帯板部５ａと、この帯板部５ａの周方向適宜間隔毎に配置された弾性変形可能な肉薄部５ｂと、この帯板部５ａの周方向両端近くに配置された互いに嵌り合う連結部５ｃとを具備し、前記肉薄部５ｂから屈曲して帯板部５ａをグリップ２の外周面に沿った環状に巻き付けてから、前記連結部５ｃを上記軸筒１の径方向へ重ね合わせて相互に嵌合させることにより、係止バンド５全体を環状に係止している。
【００２６】
この帯板部５ａの内周には、係止凸部５ｄを突設し、この係止凸部５ｄと、上記軸筒１の後端に形成される貫通孔や溝などの凹部１ｄとを軸筒１の径方向へ嵌合させることで、係止バンド５を軸筒１に対して軸方向及び周方向へ移動不能に係止している。
【００２７】
更に、前記帯板部５ａには、その周方向へ適宜間隔毎に開穿された貫通孔や溝などの係合凹部５ｅを複数個夫々設け、該係止バンド５で圧縮変形されたグリップ２の弾発力を利用して、その表面を各係合凹部５ｅに食い込ませることにより、係止バンド５に対するグリップ２の周方向や軸方向などへの位置ズレを防止すると共に、係止バンド５で圧縮変形されたグリップ２の逃げ部分となって、係止バンド５からのはみ出し量が軽減され、組立てを容易にしている。
【００２８】
また、前記帯板部５ａの内周面には、前記グリップ２の外周面に食い込んで軸方向へ係合する係止段部５ｆを形成することにより、環状に係止された係止バンド５の内周面からグリップ２の外周面が少なくとも前方へ位置ズレすることを防止している。
【００２９】
そして、上記尾栓６は、上記軸筒１の後端部に対して被せた状態で、前記係止バンド５と対向する部分の内径が、前記連結部５ｃで環状に係止された係止バンド５の外径と略同じになるようにして、該係止バンド５の拡径を防止している。
【００３０】
また、この尾栓６は、図示例の場合、上記軸筒１の後端外周面に螺合接続することで、軸筒１と一体的に連結され、該尾栓６の後端開口部には、必要に応じて化粧キャップ６ａを着脱自在に嵌合して閉鎖している。
【００３１】
更に、図示例の場合には、上記軸筒１の内部にリフィール７を組み込んで、その筆記先端部７ａを先口３から常時突出させると共に、この筆記先端部７ａをキャップ８で着脱自在に覆ったボールペンである場合を示している。
【００３２】
次に、斯かる筆記具Ａの作用効果について説明する。
上記グリップ２の軸方向略中央の外周面１ａには、隆起部２ａとそれら軸方向へ滑らかに連続する傾斜曲面部２ｂとがあるため、これを使用者が握ると、図４に示す如く、手指の親指Ｆ１から人差し指Ｆ２と中指Ｆ３の指先部分が、該グリップ２の表面に接触するだけでなく、親指Ｆ１から人差し指Ｆ２へ至る略Ｕ字型の指間皮膚表面Ｆ４が、隆起部２ａ及び傾斜曲面部２ｂの表面形状と嵌り合い、夫々が全体的に隙間なく接触可能となる。
【００３３】
これに対し、特開平２−１４１２９５号公報に開示されるようなグリップ２′がその略全長に亘って同じ外径の筒状である筆記具Ａ′を使用者が握ると、図５に示す如く、親指Ｆ１から人差し指Ｆ２と中指Ｆ３の指先部分が、該グリップ２′表面の握り部２ｆ′に接触するだけで、親指Ｆ１から人差し指Ｆ２へ至る略Ｕ字型の指間皮膚表面Ｆ４とグリップ２′表面との間に隙間Ｓができてしまい、筆記時に大きく変動する手指の把持力は指先部分のみに集中してしまった。
【００３４】
それにより、本発明の筆記具Ａは、手指の皮膚表面とグリップ２表面との接触面積が増大し、軸筒１全体の振れが大幅に減少して手指とグリップ２が一体化され、更に手指の握る力（把持力）がグリップ２に伝わると、親指Ｆ１と人差し指Ｆ２と中指Ｆ４の指先部分だけでなく、隆起部２ａ及び傾斜曲面部２ｂの表面部分が手指の形状に合わせて適度に弾性変形し、把持力が均一に分散して、手指に対するフィット感が向上すると共に、汗などによる軸方向への滑り防止が図れる。
【００３５】
また、軸筒１の外周面１ａに設けられた軸方向及び周方向へのズレ止め用突起１ｂ，１ｃと、グリップ２の内周面２ｃとの係合で、軸筒１に対するグリップ２の軸方向や周方向への位置ズレが防止される。
【００３６】
特に、グリップ２の後端部２ｅを係止バンド５で軸筒１に対して軸方向及び周方向へ移動不能に保持した場合には、組立性や美観が優れるだけでなく、前方への位置ズレ防止機能にもに優れるため、好ましい。
【００３７】
尚、上述したグリップ２の全体形状は図示例の形状に限定されず、その軸方向略中央の外周面１ａに隆起部２ａと傾斜曲面部２ｂがあれば、例えば隆起部２ａ及び傾斜曲面部２ｂを複数個ずつ配置したり、これら隆起部２ａ及び傾斜曲面部２ｂが配置される箇所以外の部分に、指の形状に合わせて凹凸を形成しても良い。
更に、上述したズレ止め用突起も環状突起１ｂ及び縦突起１ｃのみに限定されず、それ以外の形状の突起を追加したり、図示例以外の配置とするなどしても良い。
【００３８】
そして、前示実施例では、グリップ２と先口３との間に弾性リング４を挟み込むように配置し、グリップ２の後端部２ｅを係止バンド５で軸筒１に対し軸方向及び周方向へ移動不能に保持する場合を示したが、本発明は、これに限定されず、弾性リング４無しでグリップ２の前端を先口３の後端面に直接当接させたり、グリップ２の後端部２ｄを係止バンド５以外の係止手段で軸方向へ移動不能に保持しても良い。
【００３９】
また図示例では、上記軸筒１の内部に組み込んだリフィール７の筆記先端部７ａを先口３から常時突出させ、キャップ８で着脱自在に覆ったボールペンである場合を示したが、本発明は、これに限定されず、ノック操作や回転操作によって筆記先端部７ａを出没させる構造のボールペンや、それ以外の例えばシャープペンシルやサインペンなどであっても良い。
また更に、軸筒１を分離不能な一体構造としているが、本発明は、これに限定されず、軸筒１を、前軸と後軸との螺着接合などにより分離可能な一体構造としても良い。
【図面の簡単な説明】
【００４０】
【図１】本発明の筆記具の一実施例を示す一部切欠した正面図である。
【図２】分解状態を縮小して示す一部切欠正面図である。
【図３】図１の（３）−（３）に沿える部分拡大横断底面図である。
【図４】筆記状態を示す部分的な斜視図である。
【図５】従来の筆記具による筆記状態の一例を示す部分的な斜視図である。
【符号の説明】
【００４１】
１  軸筒                              １ａ  外周面
１ｂ  ズレ止め用突起（環状突起）      １ｃ  ズレ止め用突起（縦突起）
２  グリップ                          ２ａ  隆起部
２ｂ  傾斜曲面部                      ２ｃ  内周面
２ｅ  後端部                          ５  係止バンド
【図１】
2008068522.tif 000003
【図２】
2008068522.tif 000004
【図３】
2008068522.tif 000005
【図４】
2008068522.tif 000006
【図５】
2008068522.tif 000007